(57)【特許請求の範囲】
【請求項１】
座部と背凭れを有し且つマッサージ手段が設けられた椅子本体と、前記背凭れの左右上部にそれぞれ設けられたスピーカーを備え、前記背凭れの少なくとも左右上部には前方に所定角度で互いに離反する方向に拡開して傾斜する取付部がそれぞれ設けられ、前記左右の各取付部に前記左右のスピーカーが取り付けられているスピーカー付きマッサージ機であって、
前記背凭れが前板と後板とを備え、前記前板と後板との間に空間が形成されていると共に、前記取付部の前記前板には取付孔が形成され、前記取付孔には前記スピーカーが前記前板を直接振動させると共に背面音圧を前記背凭れ内の空間に放出するように堅固に固定されていることを特徴とするスピーカー付きマッサージ機。
【発明の詳細な説明】
【０００１】
【産業上の利用分野】
この発明は、スピーカー付き椅子及びこれを用いたマッサージ機に関するものである。
【０００２】
【従来の技術】
従来からスピーカー付きの椅子としては、例えば図５に示したように、背凭れ１の左右上部にフレキシブルパイプ２，２を突設し、このフレキシブルパイプ２，２の自由端部にスピーカー３，３を取り付けた構成のものが考えられている（例えば、実公昭５３−１６４０９号公報参照）。
【０００３】
この椅子では、フレキシブルパイプ２，２を曲げ操作して、フレキシブルパイプ２，２を曲げた状態に保持させることでスピーカー３，３を任意の方向に向けることが可能である。
【０００４】
【発明が解決しようとする課題】
しかしながら、フレキシブルパイプ２，２を曲げ操作して左右のスピーカー３，３の向きや位置を同じに設定するのは困難であるため、左右のスピーカー３，３からでる音を最適な状態に設定するのは困難である。
【０００５】
また、スピーカー３，３から出る音の大きさによってはフレキシブルパイプ２，２がスピーカー３，３の音圧によって音の出る前後方向に大きく揺れることも考えられ、この場合にはスピーカー３，３からの音が歪む虞があり、好ましくないものであった。
【０００６】
そこで、この発明は、左右のスピーカーから出る音を最適な状態に設定できると共に、スピーカーから出る音が歪むことのないスピーカー付き椅子及びこれを用いたマッサージ機を提供することを目的とするものである。
【０００７】
【課題を解決するための手段】
この目的を達成するため、請求項１の発明は、座部と背凭れを有し且つマッサージ手段が設けられた椅子本体と、前記背凭れの左右上部にそれぞれ設けられたスピーカーを備え、前記背凭れの少なくとも左右上部には前方に所定角度で互いに離反する方向に拡開して傾斜する取付部がそれぞれ設けられ、前記左右の各取付部に前記左右のスピーカーが取り付けられているスピーカー付きマッサージ機であって、前記背凭れが前板と後板とを備え、前記前板と後板との間に空間が形成されていると共に、前記取付部の前記前板には取付孔が形成され、前記取付孔には前記スピーカーが前記前板を直接振動させると共に背面音圧を前記背凭れ内の空間に放出するように堅固に固定されているスピーカー付きマッサージ機としたことを特徴とする。
【００１１】
【発明の実施の形態】
以下、この発明の実施の形態を図１〜図４に基づいて説明する。
【００１２】
図４は、この発明をエアマッサージ椅子（エアマッサージ機）に適用した例を示したものである。図４において、１０はエアマッサージ椅子のベース、１１はベース１１と一体の脚部、１２は脚部１１に支持された座部、１３は座部１２の両側に設けられた肘掛け、１４は座部１２の後端から後斜上方に向けて延び且つ座部１２と一体に設けられた背凭れである。この座部１２，肘掛け１３，背凭れ１４は椅子本体Ａを構成している。
【００１３】
この背凭れ１４の上部には、使用者の首に対応する位置に位置させてエアマッサージ用のマッサージ手段１５が設けられている。尚、図示は省略したが、使用者の背中や腰等をマッサージするエアマッサージ手段を背凭れ１４に設けることもできるし、大腿部をマッサージするエアマッサージ手段を座部１２に設けることもできる。このエアマッサージ手段には周知のものを採用できる。
また、背凭れ１４は、図１，図２に示したように、中空に形成されていて、前板１６と後板１７を有している。この前板１６と後板１７との間に空間１８が形成されている。しかも、背凭れ１４の左右上部には、前方に所定角度αで互いに離反する方向に拡開して傾斜する取付部１４ａ，１４ａがそれぞれ設けられている。この左右の各取付部１４ａ，１４ａの前板１６には取付孔１６ａ，１６ａが形成され、この取付孔１６ａ，１６ａには左右のスピーカー１９，１９がそれぞれ取り付けられている。このスピーカー１９，１９の背面音圧は空間１８内に放射される様になっている。
【００１４】
また、この左右のスピーカー１９，１９の取付位置は、スピーカー１９，１９の中心Ｓｃ，Ｓｃを結ぶ線Ｌが背凭れ１４に当接する標準の使用者の頭部２０の耳２１の略中心に位置するように設定されている。尚、ここでは、標準の人の頭部の後端から耳までの寸法を８０ｍｍとし、標準の人の頭部の後端から鼻先までの寸法を２００ｍｍとして説明する。従って、線Ｌは前板１６の中央前面から略８０ｍｍの位置に設定される。この設定位置は、略８０ｍｍの前後で多少変更することもできる。
【００１５】
更に、左右のスピーカー１９，１９の向き（取付角度θ）は、スピーカー１９，１９の中心線Ｌｓ，Ｌｓの交点Ｐｉが背凭れ１４に当接する標準の使用者の頭部２０の前部Ｐ１から頭部前方の所定近接位置Ｐｎまでの範囲内に位置するように設定されている。即ち、一方の耳２１に対応するスピーカー１９から出た音の一部が頭部２０の前を回り込んで反対側の耳２１側に達する様にすると共に、この音の回り込み量（回り込み音圧レベル又は回り込み音量レベル）を考慮して、スピーカー１９の取付角度θが設定される。
【００１６】
この取付角度θの設定に際してはスピーカー１９の音圧特性や、スピーカー１９，１９の中心Ｓｃ，Ｓｃ間の距離Ｘ、標準の人の頭部２０の後端２０ａから鼻２２の先端までの寸法ａ、頭部２０の後端２０ａから耳２１までの距離ｂ等が考慮される。このスピーカー１９の音圧特性は、図３に示したように、中心線Ｌｓの部分が最大音圧となり、角度３０°での音圧は最大音圧の１／２、角度６０°の音圧は最大音圧の１／４となる。従って、図２に示したように、例えば寸法ａを２００ｍｍ、寸法ｂを８０ｍｍ、距離Ｌａを４１０ｍｍとしたときに、中心線Ｌｓの線Ｌに対する角度θは略２０°〜略６０°の範囲内に設定される。
【００１７】
本実施例では、取付部１４ａ，１４ａの角度αが１３５°、スピーカー１９，１９の取付角度θが４５°に設定されていて、中心線Ｌｓ，Ｌｓの交点が鼻２１に近接するＰ３に位置している。また、本実施例では、取付角度θが６０°のときに、前板１６から交点Ｐｎまでの距離は略４３５ｍｍとなるので、前板１６から交点Ｐｎまでの距離は頭部２０の寸法ａの略２倍となる。従って、距離Ｘを４１０ｍｍに設定した本実施例では、前板１６から交点Ｐｉまでの距離Ｙが寸法ａ〜寸法２・ａの範囲内に設定されていれば、スピーカー１９，１９から出た音が頭部２０を良好に回り込むことになる。
【００１８】
次に、この様な構成のエアマッサージ椅子の作用を説明する。
【００１９】
本実施例では、図示しないエア給排気手段を作動させて背凭れ１４の上部に設けたマッサージ手段１５を作動制御することにより、使用者の首をマッサージ手段１５でマッサージすることができる。また、背凭れ１４の背中や腰、座部１２にエアバッグが設けられていてい、このエアバッグが図示しないエア給排気手段で膨張・収縮させられる場合には、背中や腰，大腿部等がエアバッグでマッサージされることになる。
【００２０】
また、この様なマッサージに際しては、スピーカー１９，１９から使用者の好みに応じた音楽や音を再生させる。この際、左右のスピーカー１９，１９から出た音は、左右の耳２１，２１に達すると共に、一部が頭部２０を回り込んで反対側の耳に達することになる。従って、再生される音楽や音がステレオ録音されたものを再生する場合、使用者は恰も音楽や音が録音された場所にいるような臨場感に溢れた音楽や音を聞くことができる。この場合、背凭れ１４はスピーカー１９，１９から再生される重低音等で振動しても、スピーカー１９，１９は前板１６に堅固に固定されているので、スピーカー１９，１９は再生される音の音圧によって全体が前後に大きく振れるようなことはない。この結果、左右のスピーカーから出る音を最適な状態に設定できると共に、スピーカーから出る音が歪むのを防止できる。
【００２１】
しかも、スピーカー１９，１９から出る重低音等が背凭れ１４を振動させて、この振動を使用者の上半身に伝えることができ、より現場にいるような臨場感を再現することができる。
【００２２】
更に、左右のスピーカー１９，１９からでる重低音がステレオ録音した音を再生している場合には、左右のスピーカー１９，１９から出力される重低音の合成による音の重心（再生される元の音源の位置）が音源の移動に伴って移動するように身体で感じることができるので、重低音も立体的に身体で感じることができ、臨場感を更に向上させることができる。尚、左右のスピーカー１９，１９から出る重低音は、前板１６の左右の部分を直接振動させると共に、空間１８内に放射されるので、空間１８や前板１６，後板１７等の寸法を一定範囲の重低音の振動数に応じて共鳴及び共振するように設定しておけば、音圧強度（音量レベル）の低い重低音でもより効果的に重低音を再生して、使用者に臨場感を伝えることができる。
【００２３】
また、重低音が多い音を再生する場合には、この重低音による背凭れの振動が身体をマッサージする効果を生ずることになる。しかも、この際、重低音の重心が上述のように移動する場合には、マッサージの中心が移動することになるので、馴れによるマッサージ効果の低下が生ずることのないマッサージを行うことができる。
【００２４】
尚、従来、座部に重低音をステレオ再生する振動ユニットを取り付けた構造の椅子が考えられているが、この振動ユニットは振動が使用者の左右の臀部に個別に伝わるようにしているために、再生される重低音がステレオ録音されたものでも、振動の重心が移動して臀部や大腿部をマッサージするような効果が得られないものであった。また、椅子の背凭れの左右上部にスピーカーを直接取り付けたものでも、本実施例のような空間１８を設けていないタイプでは共鳴効果による振動を得る様にすることは難しいものである。
【００２５】
更に、上述したスピーカーの取付構造は、エアマッサージ椅子以外に、機械式マッサージ手段が装着されたマッサージ椅子にも適用できることは勿論である。
【００２６】
【発明の効果】
この目的を達成するため、請求項１の発明は、座部と背凭れを有し且つマッサージ手段が設けられた椅子本体と、前記背凭れの左右上部にそれぞれ設けられたスピーカーを備え、前記背凭れの少なくとも左右上部には前方に所定角度で互いに離反する方向に拡開して傾斜する取付部がそれぞれ設けられ、前記左右の各取付部に前記左右のスピーカーが取り付けられているスピーカー付きマッサージ機であって、前記背凭れが前板と後板とを備え、前記前板と後板との間に空間が形成されていると共に、前記取付部の前記前板には取付孔が形成され、前記取付孔には前記スピーカーが前記前板を直接振動させると共に背面音圧を前記背凭れ内の空間に放出するように堅固に固定されている構成としたので、左右のスピーカーから出る音を最適な状態に設定できると共に、スピーカーから出る音が歪むのを防止できる。
【００２８】
更に、前記背凭れが中空に形成されていると共に、前記スピーカーは背面振動音圧を前記背凭れ内の空間に放出するように設定されている構成としたので、特にスピーカーから出る重低音等が背凭れを振動させて、この振動を使用者の上半身に伝えることができ、より現場にいるような臨場感を再現することができる。しかも、左右のスピーカーからでる重低音がステレオ録音した音を再生している場合には、左右のスピーカーから出力される重低音の合成による音の重心（再生される元の音源の位置）が音源の移動に伴って移動するように身体で感じることができるので、重低音も立体的に身体で感じることができ、臨場感を向上させることができる。また、重低音が多い音を再生する場合には、この重低音による背凭れの振動が身体をマッサージする効果を生ずることになる。その上、前記取付部の前記前板には取付孔が形成され、前記取付孔には前記スピーカーが前記前板を直接振動させると共に背面音圧を前記背凭れ内の空間に放出するように堅固に固定されている構成としたので、スピーカーは再生される音の音圧によって全体が前後に大きく振れるようなことはない。この結果、左右のスピーカーから出る音を最適な状態に設定できると共に、スピーカーから出る音が歪むのを防止できる。
【００２９】
また、前記椅子本体にマッサージ手段が設けられている構成としているので、よりリラックスした状態で身体のマッサージを行うことができる。
【図面の簡単な説明】
【図１】この発明に係るマッサージ機（エアマッサージ椅子）の要部断面図である。
【図２】図１と同じ断面の仕様説明図である。
【図３】図１，２のスピーカー特性説明図である。
【図４】図１，２に示した構造を備えるエアマッサージ椅子の斜視図である。
【図５】従来のスピーカー付きエアマッサージ椅子の斜視図である。
【符号の説明】
１２・・・座部
１４・・・背凭れ
１４ａ・・・取付部
１５・・・エアマッサージ手段
１６・・・前板
１７・・・後板
１８・・・スピーカー
１９・・・空間
２０・・・頭部
Ａ・・・椅子本体
Ｌｓ・・・中心線
Ｐｉ・・・交点
【図１】
0003660130.tif 000002
【図２】
0003660130.tif 000003
【図３】
0003660130.tif 000004
【図４】
0003660130.tif 000005
【図５】
0003660130.tif 000006